(57)【要約】【課題】部品点数の増加を抑制しながら、情報を表示したい側の表示部に任意に切り替えるとともに、通常の突出形状の入力ボタンを押す場合のような入力感を得ることが可能な携帯端末装置を提供する。【解決手段】この携帯電話機（携帯端末装置）１００は、第１表示部１４と第１凹凸形成部１３とを含む第１入出力部１と、第２表示部２４と第２凹凸形成部２３とを含む第２入出力部２と、１つの表示切替スイッチ１５ｂと、ＣＰＵ１５ａとを備えている。また、ＣＰＵ１５ａは、１つの表示切替スイッチ１５ｂが押下されたと判断した場合に、第１表示部１４および第２表示部２４に表示された情報をそれぞれ第２表示部２４および第１表示部１４に切り替えるとともに、第１凹凸形成部１３により形成された凹凸形状の入力ボタンを第２凹凸形成部２３により形成するように切り替えるように制御するように構成されている。【選択図】図１
2009176241.tif 000002
【特許請求の範囲】
【請求項１】
情報を表示する第１表示部と凹凸形状の入力ボタンを形成する第１凹凸形成部とを含む第１入出力部と、
情報を表示する第２表示部と凹凸形状の入力ボタンを形成する第２凹凸形成部とを含む第２入出力部と、
１つの切替スイッチと、
前記第１入出力部、前記第２入出力部および前記１つの切替スイッチを制御する制御部とを備え、
前記第１入出力部には、前記第１凹凸形成部により凹凸形状の入力ボタンが形成されるとともに、前記第１表示部により前記凹凸形状の入力ボタンに対応した情報が表示され、前記第２入出力部には、前記第２凹凸形成部により凹凸形状の入力ボタンを形成せずに、第２表示部により情報のみを表示するように構成され、
前記制御部は、前記１つの切替スイッチが押下されたと判断した場合に、前記第１表示部および前記第２表示部に表示された情報をそれぞれ前記第２表示部および前記第１表示部に切り替えるとともに、前記第１凹凸形成部により形成された凹凸形状の入力ボタンを前記第２凹凸形成部により形成するように切り替えるように制御するように構成されている、携帯端末装置。
【請求項２】
前記第１凹凸形成部および前記第２凹凸形成部は、それぞれ、前記第１表示部および前記第２表示部の上方に配置されているとともに、前記第１表示部および第２表示部に表示された情報を外部からユーザが視認することが可能な光透過率を有する、請求項１に記載の携帯端末装置。
【請求項３】
前記第１凹凸形成部および前記第２凹凸形成部は、絶縁性を有するエラストマ層と、一対の電極とを含み、
前記第１凹凸形成部および前記第２凹凸形成部は、前記エラストマ層を前記一対の電極で挟み込むようにして構成され、かつ、前記一対の電極に所定の電圧が印加されることにより凹凸形状に変形されるように構成されている、請求項１または２に記載の携帯端末装置。
【請求項４】
前記携帯端末装置の姿勢を検知するセンサをさらに備え、
前記制御部は、前記センサにより検知した姿勢に基づいて、前記第１凹凸形成部および前記第２凹凸形成部のいずれか一方により凹凸形状の入力ボタンを形成するとともに、前記第１凹凸形成部および前記第２凹凸形成部のうちの前記入力ボタンを形成した方に対応する前記第１表示部または前記第２表示部に、前記入力ボタンに対応する情報を表示するように制御するように構成されている、請求項１〜３のいずれか１項に記載の携帯端末装置。
【請求項５】
前記第１表示部の表面と前記第２表示部の表面とが対向するようにして折り畳み可能なように構成されている、請求項１〜４のいずれか１項に記載の携帯端末装置。
【発明の詳細な説明】
【技術分野】
【０００１】
この発明は、携帯端末装置に関し、特に、情報を表示する表示部および入力ボタンなどの入力部を備えた携帯端末装置に関する。
【背景技術】
【０００２】
従来、情報を表示する表示画面などの表示部および入力ボタンなどの入力部を備えた携帯端末装置が知られている（たとえば、特許文献１〜５参照）。
【０００３】
上記特許文献１には、２つの画面と、２つのプッシュボタン（切替スイッチ）とを備えた携帯電話機（携帯端末装置）が開示されている。上記特許文献１に開示された携帯電話機では、電話機本体のそれぞれの入出力部にプッシュボタンが１つずつ合計２つ設けられている。このプッシュボタンが押下されることにより、押下されたプッシュボタンの設けられている画面に入力部が形成されるとともに、プッシュボタンが押されなかった画面に情報が表示されるように構成されている。
【０００４】
また、上記特許文献２には、センサと、２つの表示部と、入力部とを備えた携帯端末（携帯端末装置）が開示されている。上記特許文献２に開示された携帯端末では、装置本体に設けられたセンサにより装置本体の姿勢を検知できるように構成されている。また、検知された姿勢に対応するように、装置本体の表面側および側面側に設けられた２つの表示部のいずれか一方側の表示部に、自動的に情報が表示されるように構成されている。
【０００５】
また、上記特許文献３には、回転検出部（センサ）と、表示部と、入力部とを備えた移動通信端末機（携帯端末装置）が開示されている。上記特許文献３に開示された移動通信端末機では、装置本体に設けられたセンサにより装置本体の姿勢を検知することができるように構成されている。また、検知された姿勢に対応するように、装置本体に設けられた表示部に情報が表示されるとともに、表示部の表面上にタッチパネル方式の入力部が形成されるように構成されている。
【０００６】
また、上記特許文献４には、入力部と、表示部とを備えた携帯端末装置が開示されている。上記特許文献４に開示された携帯端末装置では、装置本体に設けられた入力部の所定の入力ボタンを押下することにより、装置本体に設けられた表示部に表示された情報が任意の方向に回転されるように構成されている。また、表示部に表示された情報の回転に伴って、入力ボタン上に表示される情報も回転して表示されるように構成されている。
【０００７】
また、上記特許文献５には、表示部と、入力部とを備えた携帯通信端末（携帯端末装置）が開示されている。上記特許文献５に開示された携帯通信端末では、装置本体に設けられた入力部の入力ボタンを押下すると、押下された入力ボタンの文字に対応するように入力部上に凹凸が形成されるように構成されている。この入力ボタンは、表示部に表示される文字に対応して凹凸形状が変化されるように構成されている。
【０００８】
【特許文献１】特開２００６−２７９７６９号公報
【特許文献２】特開２０００−０５９４７４号公報
【特許文献３】特開２００７−１０９２４０号公報
【特許文献４】特開２００５−０１２４９３号公報
【特許文献５】特開２００６−０９１７７５号公報
【発明の開示】
【発明が解決しようとする課題】
【０００９】
しかしながら、上記特許文献１に記載の携帯電話機（携帯端末装置）では、画面に入力部（表示部）を形成（表示）するためにプッシュボタンが２つ設けられているため、部品点数が増加するという問題点がある。
【００１０】
また、上記特許文献２に記載の携帯端末（携帯端末装置）では、自動的に一方側の表示部に情報が表示されるように構成されているため、情報を表示したい側の表示部に任意に切り替えることが困難であるという問題点があると考えられる。
【００１１】
また、上記特許文献３に記載の移動通信端末機（携帯端末装置）では、タッチパネル方式の入力部が形成されるため、ユーザは通常の突出形状の入力ボタンを押す場合のような入力感（クリック感）を得ることが困難であるという問題点があると考えられる。
【００１２】
また、上記特許文献４に記載の携帯端末装置では、タッチパネル方式の入力部が形成されるため、ユーザは通常の突出形状の入力ボタンを押す場合のような入力感（クリック感）を得ることが困難であるという問題点があると考えられる。
【００１３】
また、上記特許文献５に記載の携帯通信端末（携帯端末装置）では、入力ボタンを押下した後に入力部上に凹凸が形成されるため、ユーザは通常の突出形状の入力ボタンを押す場合のような入力感（クリック感）を得ることが困難であるという問題点があると考えられる。
【００１４】
この発明は、上記のような課題を解決するためになされたものであり、この発明の１つの目的は、部品点数の増加を抑制しながら、情報を表示したい側の表示部に任意に切り替えるとともに、通常の突出形状の入力ボタンを押す場合のような入力感を得ることが可能な携帯端末装置を提供することである。
【課題を解決するための手段および発明の効果】
【００１５】
この発明の一の局面による携帯端末装置は、情報を表示する第１表示部と凹凸形状の入力ボタンを形成する第１凹凸形成部とを含む第１入出力部と、情報を表示する第２表示部と凹凸形状の入力ボタンを形成する第２凹凸形成部とを含む第２入出力部と、１つの切替スイッチと、第１入出力部、第２入出力部および１つの切替スイッチを制御する制御部とを備え、第１入出力部には、第１凹凸形成部により凹凸形状の入力ボタンが形成されるとともに、第１表示部により凹凸形状の入力ボタンに対応した情報が表示され、第２入出力部には、第２凹凸形成部により凹凸形状の入力ボタンを形成せずに、第２表示部により情報のみを表示するように構成され、制御部は、１つの切替スイッチが押下されたと判断した場合に、第１表示部および第２表示部に表示された情報をそれぞれ第２表示部および第１表示部に切り替えるとともに、第１凹凸形成部により形成された凹凸形状の入力ボタンを第２凹凸形成部により形成するように切り替えるように制御するように構成されている。
【００１６】
この一の局面による携帯端末装置では、上記のように、１つの切替スイッチを備えることによって、第１入出力部に表示された情報および凹凸形状の入力ボタンと第２入出力部に表示された情報および凹凸形状の入力ボタンとを１つの切替スイッチにより切り替えることができるので、部品点数の増加を抑制することができる。また、制御部は、１つの切替スイッチが押下されたと判断した場合に、第１表示部および第２表示部に表示された情報をそれぞれ第２表示部および第１表示部に切り替えるとともに、第１凹凸形成部により形成された凹凸形状の入力ボタンを第２凹凸形成部により形成するように切り替えるように制御するように構成されていることによって、ユーザは１つの切替スイッチを押下することにより任意に切り替えることができるので、情報を表示したい側の表示部に任意に切り替えることができる。また、凹凸形状の入力ボタンを形成する第１凹凸形成部を含む第１入出力部と、凹凸形状の入力ボタンを形成する第２凹凸形成部を含む第２入出力部とを備えることによって、ユーザによって第１入出力部または第２入出力部の入力ボタンが押下された際に、入力ボタンが凸形状から凹形状に湾曲されるので、通常の突出形状の入力ボタンを押下した際と同様の入力感（クリック感）を得ることができる。
【００１７】
上記一の局面による携帯端末装置において、好ましくは、第１凹凸形成部および第２凹凸形成部は、それぞれ、第１表示部および第２表示部の上方に配置されているとともに、第１表示部および第２表示部に表示された情報を外部からユーザが視認することが可能な光透過率を有する。このように構成すれば、第１凹凸形成部および第２凹凸形成部をそれぞれ第１表示部および第２表示部の上方に重ねた状態で、第１表示部または第２表示部に表示される入力用画像を視認することができるので、ユーザが触れる側に第１凹凸形成部および第２凹凸形成部を配置することができる。これにより、第１凹凸形成部または第２凹凸形成部により形成された凹凸形状の入力ボタンをユーザが明確に感じとることができるので、確実な入力操作を行うことができる。
【００１８】
上記一の局面による携帯端末装置において、好ましくは、第１凹凸形成部および第２凹凸形成部は、絶縁性を有するエラストマ層と、一対の電極とを含み、第１凹凸形成部および第２凹凸形成部は、エラストマ層を一対の電極で挟み込むようにして構成され、かつ、一対の電極に所定の電圧が印加されることにより凹凸形状に変形されるように構成されている。このように構成すれば、一対の電極間に発生する静電引力によりエラストマ層を変形させて凹凸形状に変形させることができるので、容易に凹凸形状の入力ボタンを形成することができる。
【００１９】
上記一の局面による携帯端末装置において、好ましくは、携帯端末装置の姿勢を検知するセンサをさらに備え、制御部は、センサにより検知した姿勢に基づいて、第１凹凸形成部および第２凹凸形成部のいずれか一方により凹凸形状の入力ボタンを形成するとともに、第１凹凸形成部および第２凹凸形成部のうちの入力ボタンを形成した方に対応する、第１表示部または第２表示部に入力ボタンに対応する情報を表示するように制御するように構成されている。このように構成すれば、携帯端末装置の姿勢に応じて、第１表示部および第２表示部のうちのユーザが視認可能な方に制御部により情報の表示および入力ボタンの形成が行われるので、ユーザの利便性を向上させることができる。
【００２０】
上記一の局面による携帯端末装置において、好ましくは、第１表示部の表面と第２表示部の表面とを対向するようにして折り畳み可能なように構成されている。このような折り畳み式の携帯端末装置においては、折り畳んだ状態で第１表示部と第２表示部との位置が判別しづらいので、折り畳んだ状態から開いた時に、第１表示部と第２表示部との位置関係が前回使用時と逆転している場合がある。その場合にも、本発明の切替スイッチにより第１表示部と第２表示部との凹凸形状の入力ボタンと情報の表示とを任意に切り替えることができるので、折り畳み式の携帯端末装置に本発明は特に有効である。
【発明を実施するための最良の形態】
【００２１】
以下、本発明を具体化した実施形態を図面に基づいて説明する。
【００２２】
図１および図２は、本発明の一実施形態による携帯電話機を示した全体構成図である。また、図３〜図９は、図１に示した本発明の一実施形態による携帯電話機の詳細な構造を示した図である。まず、図１〜図９を参照して、本発明の一実施形態による携帯電話機１００の構成について説明する。なお、本実施形態では、携帯端末装置の一例である携帯電話機１００に本発明を適用した場合について説明する。
【００２３】
本発明の一実施形態による携帯電話機１００は、図１および図２に示すように、第１凹凸形成部１３および第１表示部１４を含む第１入出力部１と、第２凹凸形成部２３および第２表示部２４を含む第２入出力部２と、接続部１６ａとから構成されている。この第１入出力部１および第２入出力部２は、平面的に見て長方形形状を有している。また、第１入出力部１と、第２入出力部２とは、接続部１６ａによって接続されている。この接続部１６ａは、図２に示すように、矢印Ｘ１方向側から見て、円柱形状を有している。また、第１入出力部１と、第２入出力部２とは、接続部１６ａを回動軸にして矢印Ｒ方向に開閉可能に構成されている。ここで、本実施形態では、図３に示すように、第１入出力部１と、第２入出力部２とを回動させることにより、第１入出力部１の第１表示部１４と、第２入出力部２の第２表示部２４とが接触するようにして折り畳み可能なように構成されている。また、第１入出力部１の矢印Ｘ１方向側の側面には、１つの表示切替スイッチ１５ｂが設けられている。なお、表示切替スイッチ１５ｂは、本発明の「切替スイッチ」の一例である。
【００２４】
また、図１および図２に示すように、第１入出力部１の表面には、第１凹凸形成部１３により凹凸形状の入力ボタンが形成されている。また、第１入出力部１の表面には、第１表示部１４により凸形状の入力ボタンに対応する１、２、３、・・・などの情報が表示されるように構成されている。
【００２５】
また、第２入出力部２の表面には、後述する第２凹凸形成部２３による凹凸形状の入力ボタンの形成はされていない。また、第２入出力部２の表面には、第２表示部２４により情報のみが表示されるように構成されている。
【００２６】
また、図４に示すように、第１入出力部１は、樹脂製の枠体１１と、表面保護膜１２と、第１凹凸形成部１３と、第１表示部１４と、配線基板１５と、接続部１６ａが一体的に設けられた樹脂製の筐体１６とから構成されている。また、枠体１１と、表面保護膜１２と、第１凹凸形成部１３と、第１表示部１４と、配線基板１５と、筐体１６とは、それぞれ、矢印Ｙ方向側から見て実質的に長方形形状を有している。また、第１入出力部１は、表面保護膜１２と、第１凹凸形成部１３と、第１表示部１４とを、枠体１１と筐体１６とで挟み込むようにして構成されている。
【００２７】
また、枠体１１の中央部は開口されており、ユーザが矢印Ｙ方向側から視認可能なように構成されている。また、筐体１６は、表面保護膜１２と、第１凹凸形成部１３と、第１表示部１４と、配線基板１５とが収納されるように構成されている。また、枠体１１の側部には切欠部１１ａが形成されており、筐体１６の側部にも切欠部１１ａと同形状の切欠部１６ｂが形成されている。この切欠部１１ａおよび切欠部１６ｂには、表示切替スイッチ１５ｂが嵌合可能なように構成されている。
【００２８】
また、表面保護膜１２は、図３に示すように、第１凹凸形成部１３の上方に重ねて配置されている。また、表面保護膜１２は、第１表示部１４に表示された情報を視認することが可能な光透過率を有する材料で、かつ、第１凹凸形成部１３の凹凸変形部１３ａが凸形状に変形するのに伴って弾性変形可能な材料により構成されている。
【００２９】
また、本実施形態では、図４に示すように、第１凹凸形成部１３は、平面的に見て、表面保護膜１２と同一の長方形形状を有し、第１表示部１４の上方に配置されている。また、第１凹凸形成部１３は、第１表示部１４に表示された情報をユーザが外部から視認可能な光透過率を有している。
【００３０】
また、本実施形態では、第１凹凸形成部１３は、図６〜図８に示すように、絶縁性を有するエラストマ層１３１ａと、エラストマ層１３１ａを一対の上側電極１３２ａおよび下側電極１３３ａで挟み込むようにして構成されている。なお、上側電極１３２ａおよび下側電極１３３ａは、本発明の「一対の電極」の一例である。また、エラストマ層１３１ａは高分子、アクリル樹脂、エポキシ樹脂およびシリコン樹脂などからなり、ユーザが外部から視認可能なように透明性を有している。また、上側電極１３２ａおよび下側電極１３３ａはＩＴＯ（酸化インジウムスズ）などの透明電極により構成されている。また、図７に示すように、凹凸変形部１３ａは、電圧無印加時では平板形状を有している。また、第１凹凸形成部１３の上側電極１３２ａと、下側電極１３３ａとにエラストマ１３１ａに電圧を印加すると、図８に示すように、エラストマ層１３１ａは上側電極１３２ａおよび下側電極１３３ａ間の静電引力により電圧印加方向に押しつぶされ、電圧印加方向に対して垂直方向（面方向）に伸張する。この場合、エラストマ層１３１ａは側壁１３ｂにより固定されているため伸張を制限されるので、エラストマ層１３１ａが座屈変形することにより凸形状に変化する。
【００３１】
また、第１表示部１４は、平面的に見て、表面保護膜１２および第１凹凸形成部１３に対応した長方形形状を有し、第１凹凸形成部１３の下方に重ねて配置される。この第１表示部１４は、第１凹凸形成部１３により形成される凸形状の入力ボタンに対応する１、２、３、・・・などの入力用画像を表示するように構成されている。
【００３２】
また、図４および図９に示すように、配線基板１５は、携帯電話機１００を動作させるために必要な電子部品が実装されている。すなわち、配線基板１５には、ＣＰＵ１５ａと、表示切替スイッチ１５ｂと、ジャイロセンサや重力センサなどの姿勢検知センサ１５ｃと、メモリ１５ｄと、無線部１５ｅとが実装されている。なお、姿勢検知センサ１５ｃは、本発明の「センサ」の一例であり、ＣＰＵ１５ａは、本発明の「制御部」の一例である。
【００３３】
また、本実施形態では、ＣＰＵ１５ａは、ユーザにより表示切替スイッチ１５ｂが押下されたと判断した場合に、第１表示部１４および第２表示部２４に表示された情報をそれぞれ第２表示部２４および第１表示部１４に表示切替を行うように制御するように構成されている。また、ＣＰＵ１５ａは、第１入出力部１の第１凹凸形成部１３により形成された凹凸形状の入力ボタンを第２入出力部２の第２凹凸形成部２３により形成するように切り替えを行うかまたは、第２入出力部２の第２凹凸形成部２３により形成された凹凸形状の入力ボタンを第１入出力部１の第１凹凸形成部１３により切り替えを行うように制御するように構成されている。
【００３４】
また、本実施形態では、ＣＰＵ１５ａは、第１表示部１４および第２表示部２４に姿勢検知センサ１５ｃにより検知した姿勢に対応する方向に情報を表示するように構成されている。具体的には、姿勢検知センサ１５ｃとして重力センサを適用した場合には、重力方向を下方向として、携帯電話機１００が図１に示す姿勢の場合には、下方側に配置された第１表示部１４には第１凹凸形成部１３に対応する情報が表示され、上方側に配置された第２表示部２４には情報のみが表示されるように構成されている。この場合、第１凹凸形成部１３により凹凸形状の入力ボタンが形成され、第２凹凸形成部２３により凹凸形状の入力ボタンが形成されないように構成されている。
【００３５】
また、ＣＰＵ１５ａは、無線部１５ｅにより赤外線通信などの無線通信を行うことが可能なように構成されている。また、ＣＰＵ１５ａは、無線部１５ｅにより受信した画像データや情報などをメモリ１５ｄに記憶するように制御するように構成されている。このメモリ１５ｄは、携帯電話機１００が各種の動作を行う上で必要となるプログラムデータや制御パラメータなどを一時的に記憶可能なようにも構成されている。
【００３６】
また、第２入出力部２は、図５に示すように、枠体２１と、表面保護膜２２と、凹凸変形部２３ａを含む第２凹凸形成部２３と、第２表示部２４と、接続部２６ａを含む筐体２６とから構成されている。この第２入出力部２の構成は、第１入出力部１の構成と比較して、配線基板１５が設けられていないという点で異なっている。また、枠体１１には切欠部１１ａが形成されているが、枠体２１には切欠部が形成されておらず、これと同様に、筐体１６には切欠部１６ｂが形成されているが、筐体２６には切欠部が形成されていないという点が異なっている。また、第２入出力部２のその他の構成は、第１入出力部１と同様である。すなわち、枠体２１、表面保護膜２２、第２凹凸形成部２３および第２表示部２４は、枠体１１、表面保護膜１２、第１凹凸形成部１３および第１表示部１４と同様の構造を有している。
【００３７】
図１０は、本発明の一実施形態による携帯電話機の制御動作を説明するためのフローチャートである。図１１および図１２は、表示切替スイッチを押下した際の、携帯電話機の動作を説明するための斜視図である。次に、図１、図２および図１０〜図１２を参照して、本発明の一実施形態による携帯電話機１００の制御動作について説明する。
【００３８】
図１０に示すように、ステップＳ１において、携帯電話機１００がユーザにより開状態にされたか否かが判断される。携帯電話機１００がユーザにより開状態にされていない場合には、開状態にされるまでこの判断が繰り返される。また、ステップＳ１において、携帯電話機１００がユーザにより開状態にされたと判断された場合には、ステップＳ２において、姿勢検知センサ１５ｃにより携帯電話機１００の姿勢を確認する。その後、ステップＳ３に進む。
【００３９】
次に、ステップＳ３において、姿勢検知センサ１５ｃの検知結果に基づいて、表示画面と凹凸形成部とを形成する入出力部（第１入出力部１または第２入出力部２）を選択して、表示画面と凹凸形成部とを形成する。たとえば、図１に示すように、第１入出力部１側が下方に位置する場合には、第１入出力部１には、第１凹凸形成部１３により凹凸形状の入力ボタンを形成するとともに、第１表示部１４により入力ボタンに対応する情報（１、２、３、・・・など）を表示する。また、第２入出力部２には、第２凹凸形成部２３による凹凸形状の入力ボタンは形成せずに情報のみを表示する。その後、ステップＳ４に進む。
【００４０】
次に、ステップＳ４において、ユーザにより表示切替スイッチ１５ｂが押下されたか否かが判断される。表示切替スイッチ１５ｂが押下されていない場合には、表示切替スイッチ１５ｂが押下されるまでこの判断が繰り返される。また、ステップＳ４において、ユーザにより表示切替スイッチ１５ｂが押下されたと判断された場合には、ステップＳ５において、第１入出力部１および第２入出力部２をＮＵＬＬ状態（非表示状態）にする。その後、ステップＳ６に進む。
【００４１】
次に、ステップＳ６において、第１入出力部１と第２入出力部２との凹凸形成と表示画面とを切り替える。たとえば、図１に示した状態から図１１に示すように、第１入出力部１には、第１凹凸形成部１３による凹凸形状の入力ボタンは形成せずに情報のみを表示するとともに、第２入出力部２には、第２凹凸形成部２３により凹凸形状の入力ボタンを形成し、かつ、第２表示部２４により入力ボタンに対応する情報を表示するように切り替える。これにより、携帯電話機１００の動作制御が終了する。
【００４２】
本実施形態では、上記のように、１つの表示切替スイッチ１５ｂを備えることによって、第１入出力部１の表示された情報および凹凸形状の入力ボタンと第２入出力部２の表示された情報および凹凸形状の入力ボタンとを１つの表示切替スイッチ１５ｂにより切り替えることができるので、部品点数の増加を抑制することができる。また、ＣＰＵ１５ａは、１つの表示切替スイッチ１５ｂが押下されたと判断した場合に、第１表示部１４および第２表示部２４に表示した情報をそれぞれ第２表示部２４および第１表示部１４に切り替えるとともに、第１凹凸形成部１３により形成した凹凸形状の入力ボタンを第２凹凸形成部２３により形成するように切り替えるように制御するように構成することによって、ユーザによって１つの表示切替スイッチ１５ｂを押下することにより任意に切り替えることができるので、情報を表示したい側の表示部に任意に切り替えることができる。また、第１入出力部１と、第２入出力部２とを備えることによって、ユーザによって第１入出力部１または第２入出力部２の入力ボタンが押下された際に、入力ボタンを凸形状から凹形状に湾曲させることができるので、通常の突出形状の入力ボタンを押下した際の入力感（クリック感）を得ることができる。
【００４３】
また、本実施形態では、上記のように、第１凹凸形成部１３および第２凹凸形成部２３を、それぞれ、第１表示部１４および第２表示部２４に表示された情報を外部からユーザが視認することが可能な光透過率を有するように構成することによって、第１凹凸形成部１３および第２凹凸形成部２３をそれぞれ第１表示部１４および第２表示部２４の上方に重ねた状態で、第１表示部１４または第２表示部２４に表示される入力用画像を視認することができるので、ユーザが触れる側に第１凹凸形成部１３および第２凹凸形成部２３を配置することができる。これにより、第１凹凸形成部１３または第２凹凸形成部２３により形成した凹凸形状の入力ボタンをユーザが明確に感じとることができるので、確実な入力操作を行うことができる。
【００４４】
また、本実施形態では、上記のように、第１凹凸形成部１３および第２凹凸形成部２３を、エラストマ層１３１ａを一対の上側電極１３２ａおよび下側電極１３３ａで挟み込むようにして構成し、かつ、一対の上側電極１３２ａおよび下側電極１３３ａに所定の電圧を印加することにより凹凸形状に変形するように構成することによって、一対の上側電極１３２ａおよび下側電極１３３ａ間に発生する静電引力によりエラストマ層１３１ａを変形させて凹凸形状に変形することができるので、容易に凹凸形状の入力ボタンを形成することができる。
【００４５】
また、本実施形態では、上記のように、ＣＰＵ１５ａを、姿勢検知センサ１５ｃにより検知した姿勢に基づいて、第１凹凸形成部１３および第２凹凸形成部２３のいずれか一方により凹凸形状の入力ボタンを形成するとともに、第１凹凸形成部１３および第２凹凸形成部２３のうちの入力ボタンを形成した方に対応する第１表示部１４または第２表示部２４に入力ボタンに対応する情報を表示するように制御するように構成することによって、携帯電話機１００の姿勢に応じて、第１表示部１４および第２表示部２４のうちのユーザが視認可能な方にＣＰＵ１５ａにより情報の表示および入力ボタンの形成を行うので、ユーザの利便性を向上させることができる。
【００４６】
また、本実施形態では、上記のように、折り畳み可能なように構成されている。このような携帯電話機１００においては、折り畳んだ状態で第１表示部１４と第２表示部２４との位置が判別しづらいので、折り畳んだ状態から開いた時に、第１表示部１４と第２表示部２４との位置関係が前回使用時と逆転している場合がある。その場合にも、本発明の表示切替スイッチ１５ｂにより第１表示部１４と第２表示部２４との凹凸形状の入力ボタンと情報の表示とを任意に切り替えることができるので、折り畳み式の携帯端末装置に本発明は特に有効である。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、本発明による携帯端末装置の一例として折り畳み型の携帯電話機を示したが、本発明はこれに限らず、折り畳み型の携帯電話機以外の携帯端末装置にも適用可能である。また、折り畳み式以外のスライド式やその他の携帯端末装置にも適用可能である。
【００４９】
また、上記実施形態では、本発明による切替スイッチを第１入出力部の側面に設ける例を示したが、本発明はこれに限らず、切替スイッチを第１入出力部の側面以外に設けてもよい。
【図面の簡単な説明】
【００５０】
【図１】本発明の一実施形態による携帯電話機の全体構成を示す平面図である。
【図２】本発明の一実施形態による携帯電話機の全体構成を示す斜視図である。
【図３】本発明の一実施形態による携帯電話機を折り畳んだ状態の全体構成を示す斜視図である。
【図４】本発明の一実施形態による携帯電話機の全体構成を示す分解斜視図である。
【図５】本発明の一実施形態による携帯電話機の全体構成を示す分解斜視図である。
【図６】本発明の一実施形態による携帯電話機の平面図である。
【図７】図６に示した平面図の２００−２００線に沿った断面図である。
【図８】図６に示した平面図の２００−２００線に沿った断面図である。
【図９】本発明の一実施形態による携帯電話機のシステムの全体構成を示すブロック図である。
【図１０】本発明の一実施形態による携帯電話機のＣＰＵによる表示切替の制御動作を説明するためのフローチャートである。
【図１１】本発明の一実施形態による携帯電話機の表示切替後の全体構成を示す平面図である。
【図１２】本発明の一実施形態による携帯電話機の表示切替後の全体構成を示す斜視図である。
【符号の説明】
【００５１】
１        第１入出力部
２        第２入出力部
１３      第１凹凸形成部
１４      第１表示部
１５ａ    ＣＰＵ（制御部）
１５ｂ    表示切替スイッチ（切替スイッチ）
１５ｃ    姿勢検知センサ（センサ）
２３      第２凹凸形成部
２４      第２表示部
１００    携帯電話機（携帯端末装置）
１３１ａ  エラストマ層
１３２ａ  上側電極（電極）
１３３ａ  下側電極（電極）
【図１】
2009176241.tif 000003
【図２】
2009176241.tif 000004
【図３】
2009176241.tif 000005
【図４】
2009176241.tif 000006
【図５】
2009176241.tif 000007
【図６】
2009176241.tif 000008
【図７】
2009176241.tif 000009
【図８】
2009176241.tif 000010
【図９】
2009176241.tif 000011
【図１０】
2009176241.tif 000012
【図１１】
2009176241.tif 000013
【図１２】
2009176241.tif 000014